(57)【要約】【課題】  シャドウマスク等の金属部材を梱包して輸送する場合には、これら梱包された金属部材を更に防錆袋にて包装しているが、内在されている金属部材に錆が発生しないように防錆袋自体を４層構造に構成するとともに、防錆袋内に更に乾燥剤を挿入して包装しているが、構成が複雑となるばかりでなく高価なものとなり、更に厚手の防錆袋を扱うために作業性にも劣るものとなっていたが、本発明ではこれら問題点を改善して、廉価で作業性にも優れているとともに、省資源化にも貢献する金属部材包装用防錆袋を提供する。【解決手段】  合成樹脂製の第１のシート材１１の一表面上に金属薄膜１２を蒸着によって形成し、この金属薄膜１２を覆うように合成樹脂製の第２のシート材１３を被着したものを袋状に形成することで防錆袋１４を形成し、この防錆袋１４の開口部から梱包体２６を挿入した後に防錆袋１４の開口部をヒートシールによって封止する。【選択図】  図１
2005298036.tif 000002
【特許請求の範囲】
【請求項１】
合成樹脂製の第１のシート材と、
この第１のシート材の一平面上に蒸着された金属薄膜と、
この金属薄膜を覆うように前記第１のシート材と固着された合成樹脂製の第２のシート材とから構成され、
これら第１、第２のシート材及び金属薄膜を金属部材の梱包体を包囲するように袋状に形成したことを特徴とする金属部材包装用防錆袋。
【請求項２】
前記第１のシート材が外側に、前記第２のシート材が内側となるように袋状に形成したことを特徴とする請求項１記載の金属部材包装用防錆袋。
【請求項３】
前記第１及び第２のシート材をポリエチレンにて形成し、前記金属薄膜をアルミニウムによって形成したことを特徴とする請求項１または２記載の金属部材包装用防錆袋。
【請求項４】
前記金属部材はカラー陰極線管用シャドウマスクであることを特徴とする請求項１乃至３のいずれか１つに記載の金属部材包装用防錆袋。
【発明の詳細な説明】
【技術分野】
【０００１】
本発明は、カラー陰極線管を構成するシャドウマスク等の金属部材を輸送する際に使用される包装用防錆袋に係わり、特に簡単な構成によって金属部材の防錆を可能とした金属部材包装用防錆袋に関するものである。
【背景技術】
【０００２】
従来の一般的なカラーテレビジョン受像機や端末ディスプレイのモニター等に使用されているカラー陰極線管は、略矩形状を呈するフェースパネルと、このフェースパネルに一体的に接合された漏斗状のファンネルからなる外囲器を有し、そのフェースパネルの内面に青、緑、赤に発光するストライプ状あるいはドット状の３色蛍光体層からなる蛍光体スクリーンが形成され、この蛍光体スクリーンに対向してその内側に多数の電子ビーム通過孔が形成されたシャドウマスクがマスクフレームを介して装着されている。
【０００３】
そして、ファンネルのネック内には３電子ビームを放射する電子銃が配設され、この電子銃から放出される３電子ビームをファンネルの外側に装着された偏向ヨークの発生する水平及び垂直偏向磁界によって偏向し、シャドウマスクを介して蛍光体スクリーンを水平、垂直走査することによって蛍光体スクリーン上にカラー画像を表示するように構成されている。
【０００４】
このカラー陰極線管は、金属部材メーカー等から所定の大きさに成形加工されたアンバー（Ｆｅ−Ｎｉ合金）等からなる平板状のフラットマスクの状態でカラー陰極線管製造メーカーに納入され、この製造メーカーにおいてフォトエッチング法等を用いて電子ビーム通過孔を穿設する等の成形加工を施し、しかる後に、このシャドウマスクを用いて蛍光体スクリーンを形成し、フェースパネル内に装着してカラー陰極線管として製造されるのが一般的である。
【０００５】
このシャドウマスクは、金属素材メーカー等から出荷される時に、途中の輸送に耐えられるように梱包され、しかもシャドウマスクに錆が発生しないように防錆袋にて密閉し、更にその防錆袋の内部に乾燥剤を挿入する等して配送されている。
【０００６】
即ち、図２に示すように、例えば２０パーツ分等の所定枚数の金属部材であるシャドウマスク（フラットマスク）２１を積層、もしくは各シャドウマスク２１間に緩衝材（図示せず）を介挿して積層し、これら積層されたシャドウマスク２１を合成樹脂板２２によって両側から挟持し、これらを一括してポリラミネートＶＣＩ紙２３によって包装する。このポリラミネートＶＣＩ紙２３とは、ＶＣＩ（Ｖｏｌａｔｉｌｅ  Ｃｏｒｒｏｓｉｏｎ  Ｉｎｈｉｂｉｔｉｎｇ）と称されている気化防錆材を紙材に塗布あるいは含浸された保護シート材であって、厚手のボール紙やライナー紙にＶＣＩを塗布または含浸することによって構成されている（例えば、特許文献１参照）。
【０００７】
このポリラミネートＶＣＩ紙２３によって包装されたシャドウマスク２１は、輸送時や保管時における外部からの衝撃からシャドウマスク２１を保護するための段ボール製の外面保護材２４によってコの字状に覆われ、更にこの外面保護材２４が開かないように三方を粘着テープ２５によって固定することで、複数枚のシャドウマスク２１を一括した梱包体２６として構成している。
【０００８】
しかしながら、このように単にシャドウマスク２１をポリラミネートＶＣＩ紙２３で覆っただけではシャドウマスク２１とポリラミネート紙２３間に隙間が生じ、この隙間を介して外部から湿気が流入してシャドウマスク２１に錆を発生させてしまうという問題がある。そこで、このように複数枚のシャドウマスク２１を一括梱包した梱包体２６は、図３に示すような包装用の防錆袋３１によって更に包装される。
【０００９】
この防錆袋３１は４層構造で構成されており、最外側にナイロンシート材３２が位置し、このナイロンシート材３２の内面上に接着層３３が形成され、この接着層３３を介してアルミニウムからなるフィルム材３４がナイロンシート材３２上に固定されている。更に、このフィルム材３４を覆うようにフィルム材３４上にポリエチレンシート材３５が配置され、このポリエチレンシート材３５とナイロンシート材３２とを固着し、このポリエチレンシート材３５が最内側となるように全体を袋状に成形することで、防錆袋３１が構成されている。
【００１０】
このようにして形成されている防錆袋３１内部に、複数のシャドウマスク２１が一括梱包された梱包体２６を挿入するとともに、更に防錆用のシリカゲル等の乾燥剤（図示せず）を併せて挿入し、その後に防錆袋３１の開口部分をヒートシール（加熱溶着）することで密封させている。
【００１１】
このような防錆袋３１を使用して金属部材を包装する方法としては、その他にも鉄材に防錆効果のある袋（ＶＣＩ袋）、防錆を施したポリエチレン袋（防錆Ｐ袋）や非鉄金属であるアルミニウムに防錆効果のある袋（ＳＳＩ袋）、導電性を有した袋（帯電防止袋）及び段ボールからなる外装袋等を使用することが知られている（例えば、特許文献２参照）。
【００１２】
しかしながら、これらの包装においては、防錆効果を確保するために４層構成にした防錆袋３１を使用しなければならず、防錆袋３１自体の厚さも約１１０μｍと厚くなってしまうばかりでなく、防錆効果を確実にするために別添の乾燥剤を内装させることが必要であった。従って、包装作業においては厚手の防錆袋３１の包装作業の操作と併せて乾燥剤の挿入作業を要することから、包装時の作業性が頗る悪くなるとともに、高価なものとなるばかりでなく、省資源化にも逆行する等の多くの改善点を有するものとなっている。
【特許文献１】特開平  ５−１４７６８４号公報（第３頁）
【特許文献２】特開平１１−１９５０４９号公報（第３頁、図２）
【発明の開示】
【発明が解決しようとする課題】
【００１３】
本発明は上記のような問題点に鑑みてなされたもので、簡単な構成でありながらも防錆効果を発揮させることが可能な金属部材包装用防錆袋を提供するものであって、より簡略化された金属部材包装用防錆袋を得ることを目的とする。
【課題を解決するための手段】
【００１４】
本発明は、上記課題を解決するための第１の手段として、合成樹脂製の第１のシート材と、この第１のシート材の一平面上に蒸着された金属薄膜と、この金属薄膜を覆うように第１のシート材と固着された合成樹脂製の第２のシート材とから構成され、これら第１、第２のシート材及び金属薄膜を金属部材の梱包体を包囲するように袋状に形成したことを特徴とする。
【００１５】
本発明は、上記課題を解決するための第２の手段として、第１のシート材が外側に、第２のシート材が内側となるように袋状に成形したことを特徴とする。
【００１６】
本発明は、上記課題を解決するための第３の手段として、第１及び第２のシート材をポリエチレンにて形成し、金属薄膜をアルミニウムによって形成したことを特徴とする。
【００１７】
本発明は、上記課題を解決するための第４の手段として、金属部材としてカラー陰極線管用シャドウマスクの包装に適用したことを特徴とする。
【発明の効果】
【００１８】
本発明によれば、防錆袋は何れも薄い部材の３層構成によって形成することができ、しかも密着強度が強いことから密封させることが可能となるので、簡単な構成でありながら乾燥剤を封入しなくとも確実に防錆効果を発揮することができるとともに、製造コストの削減が図れるので低廉で、しかも包装作業の効率を向上させ、且つ省資源化にも好適な金属部材包装用防錆袋を得ることができる。
【発明を実施するための最良の形態】
【００１９】
以下、本発明の実施の形態について図面を参照して詳細に説明する。
【００２０】
本発明に係る金属部材包装用防錆袋の実施の形態は、図１に示すように、外側に位置する部材として水分を透し難い防湿効果に極めて優れているポリエチレンシートからなる第１のシート材１１を設け、この第１のシート材１１の内側の一平面上にアルミニウムからなる金属薄膜１２を蒸着によって形成する。この金属薄膜１２を覆うように、この金属薄膜１２上にポリエチレンシートからなる第２のシート材１３を被覆して、この第２のシート材１３と第１のシート材１１の少なくとも各端部をヒートシール（加熱溶着）によって固着し、更にこれを筒状に形成するとともに一端開口部を残して夫々の端部をヒートシールによって固着することで、金属部材包装用防錆袋１４を構成している。
【００２１】
この袋状に固着形成された防錆袋１４の開口部から、上述の図２において説明したシャドウマスク２１等の金属部材を梱包した梱包体２６を挿入して、この梱包体２６を防錆袋１４によって被覆する。その後、梱包体２６を収納した防錆袋１４の開口部周辺の防錆袋１４の各端部を寄せ集めてヒートシールすることによって封止部１５を形成し、この封止部１５により、梱包体２６を防錆袋１４の内部に密閉包装しているものである。
【００２２】
この時、開口部を封止部１５によって密閉する際に、防錆袋１４内の空気を外部に排出するように真空吸引させながら、もしくは真空吸引の後にヒートシールすることにより、防錆袋１４内の空気を可能な限り排出することで、防錆効果を向上させることが可能となる。
【００２３】
なお、梱包体２６については、本発明においても従来と同様な構成のものを使用するので、同じ部分については同じ符号を付すことによって、梱包体２６自体の詳細な説明は省略する。
【００２４】
このようにして構成された金属部材包装用防錆袋１４によれば、第１及び第２のシート材１１，１３と、これらシート材１１，１３の間に介挿され第１のシート材１１にアルミニウムを蒸着することによって形成された金属薄膜１２の３層構造によって防錆袋１４を形成することが可能となるので、従来の包装用防錆袋に比して簡単な構成で製造することが可能となり、しかも第１、第２のシート材１１，１３及び金属薄膜１２の全てを薄膜化することができ、防錆袋１４全体としても薄く形成することが可能となり、このために防錆袋１４の気密性が向上しているので、防錆袋１４内に乾燥剤を挿入せずとも従来と同等以上の防錆効果を発揮することが可能となっている。
【００２５】
ここで、上記した構成の防錆袋１４を試作して、これをカラー陰極線管のシャドウマスク２１の包装材に適用して防錆効果を確認したところ、次のような結果を得ることができた。
【００２６】
即ち、シャドウマスク２１を２０枚重ねて梱包した梱包体２６を１セットとして、これを１５セット用意し、夫々のセット毎に防錆袋１４にて包装して輸送したところ、各セット共にシャドウマスク２１には全く錆の発生を見ることなく、しかも折れ皺等の発生もなく輸送することができたことが確認された。この結果、耐錆、耐強度に優れた十分な機能を有する金属部材包装用防錆袋１４として使用することができるものである。
【００２７】
このように、第１のシート材１１の一表面上に金属薄膜１２を蒸着によって形成し、更に第２のシート材１３によって被覆することにより、３層構造の防錆袋１４として構成することが可能となり、しかも防錆袋１４の厚さも約８０μｍと極めて薄く構成することが可能となるので、防錆袋１４の開口部をヒートシールして封止部１５によって封着する際の密着性も極めて良好となるので、従来必要としていた乾燥剤を使用せずとも十分な防錆効果が得られるので、防錆袋１４全体として廉価に構成することが可能となっている。しかも、防錆袋１４の各部分も一層薄く構成することだできるので、梱包体２６を包装する際の作業性の向上も図られ、乾燥剤を不用とすることから省資源化も達成することができる。
【００２８】
また、簡単な構成でありながら防錆効果に優れているので、従来の包装に比較して１セットあたり５０円のコストダウンが図られている。
【００２９】
なお、上記説明では、第１及び第２のシート材１１，１３にポリエチレンを使用した場合について説明しているが、防湿効果及び溶着性能に優れた合成樹脂製のシート材であれば使用が可能であり、また金属薄膜１２も柔軟で丈夫な材質の金属材料の使用も可能である。更に梱包される金属部材としてはシャドウマスク２１に限定されることなく、その他の金属部材の包装用にも適用が可能で、梱包形態も上記説明のものに限定されることなく、種々の方法で梱包された金属部材にも適用することが可能である。
【図面の簡単な説明】
【００３０】
【図１】本発明に係る金属部材包装用防錆袋を示す斜視図。
【図２】金属部材包装用防錆袋によって包装される金属部材の梱包体を説明するための一部切欠斜視図。
【図３】従来の金属部材包装用防錆袋を示す斜視図。
【符号の説明】
【００３１】
１１：第１のシート材
１２：金属薄膜
１３：第２のシート材
１４：防錆袋
１５：封止部
２６：梱包体
【図１】
2005298036.tif 000003
【図２】
2005298036.tif 000004
【図３】
2005298036.tif 000005